【事件の表示】
　特願２０１３−１０１６０２「携帯型電子生物生存装置」拒絶査定不服審判事件〔平成２５年　８月　８日出願公開、特開２０１３−１５０８８７〕について、次のとおり審決する。
【結　論】
　本件審判の請求は、成り立たない。
【理　由】
第１　手続の経緯
　本願は、特許法第４１条に基づく優先権主張を伴って平成１１年６月２９日に出願された特願平１１−１８３６４４号（優先権主張の基礎となる先の出願の出願番号（優先日）：特願平１０−２０２８１０号（平成１０年７月１日），特願平１０−２１９７７３号（平成１０年７月２１日），特願平１１−１４２４８７号（平成１１年５月２１日））の一部を平成１９年１０月１８日に新たな特許出願とした特願２００７−２７０８６２号の一部を平成２１年１２月２２日に新たな特許出願とした特願２００９−２９０７８９号の一部を平成２５年５月１３日に新たな特許出願としたものであって、平成２５年５月２０日付け、同年１２月２日付け、平成２６年６月１２日付け、同年１０月２０日付けで手続補正がなされ、平成２７年５月２６日付けで拒絶査定がなされ、これに対し、同年８月６日付けで拒絶査定に対する不服審判請求がなされると同時に手続補正がなされたものである。
第２　平成２７年８月６日付けの手続補正書による補正（以下「本件補正」という。）後の本願の発明
　本件補正により、特許請求の範囲の請求項１に係る発明（以下「本願発明」という。）は、
「自装置の画面やスピーカなどの出力部によりユーザーが認識可能な電子生物（以下「自らの電子生物」という。なお、「電子生物」は「電子的人間キャラクタ」を含む。）と他の携帯型電子生物出力装置の出力部により他のユーザーが認識可能な他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
　「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する他の電子生物出力装置にインターネットなどの公衆通信網を介することなく直接に届くように、近距離無線のみにより発信する電波等発信手段と、
　他の電子生物出力装置から近距離無線のみにより発信された前記のような電波又は赤外線を、近距離無線のみにより、インターネットなどの公衆通信網を介することなく直接に受信する電波等受信手段と、
を備えたことを特徴とする、ユーザーに携帯され又はユーザーの身体に装着される装置であってその出力部によりユーザーに電子生物を認識させる携帯型電子生物出力装置。」
と補正された。
　本件補正は、補正前の特許請求の範囲に記載の請求項１、請求項３乃至請求項８を削除すると共に、請求項２を請求項１に繰り上げたものであって、特許法第１７条の２第５項第１号の請求項の削除を目的とするものに該当する。
　また、本件補正は、特許法第１７条の２第３項、第４項の規定に適合する。
　第３　引用刊行物　
１　刊行物１　
　本願の優先日前の平成８年９月２７日に頒布された特開平８−２５１０６８号公報（以下「刊行物１」という。）には、以下の事項が記載されている。
（１）「【０００５】
【発明が解決しようとする課題】このような観点から、本発明者等は鋭意研究を重ねた結果、前述した無線送受信機能を備えたカード形無線通信端末機器を使用し、この端末機器に予め各種の情報を記憶保持させておくと共に、端末機器所持者の個人データを書込み保持させておき、送信状態にある前記端末機器の所持者は、自己の希望や要求を選択して指定することによって、通信可能な所要の領域内において同時に複数の受信状態にある前記端末機器にアクセスして、最も適合性の高い１つの端末機器に対して呼出しを行うことができるシステムを実現し得ることを突き止めた。
【０００６】従って、この種のシステムは、相性や共通の趣味や娯楽、占い等の要素をベースとして、
端末機器間の無線通信による情報交換を行って、端末機器の所持者間の出会いおよび交流をも可能として、広く娯楽的手段として活用することが可能である
【０００７】そこで、本発明の目的は、無線送受信機能を備えた
カード形無線通信端末機器を使用し
携帯用個人呼出無線通信システム
（２）「【００１１】
【作用】本発明に係る携帯用個人呼出無線通信システムによれば、
カード形無線通信端末機器の所有者の個人データを入力することにより、相性、占い、趣味に関するデータをベースとして、それぞれカード形無線通信端末機器の相互間における適合性を照合し判定して、適合性の最も高い端末機器同士のチャネリングを行うことができる
各端末機器の通信可能な領域は比較的狭い範囲にある
【００１２】
【実施例】次に、本発明に係る携帯用個人呼出無線通信システムの実施例につき、添付図面を参照しながら以下詳細に説明する。
【００１３】図１は、本発明に係る携帯用個人呼出無線通信システムの概略システム構成図である。本発明にいては、カード形無線通信端末機器を使用して実施するものであり、例えば無線送受信機能を備えたＩＣカードによって容易に製作することができる。従って、この無線通信端末機器には、図１に示すような各種の機能手段を搭載する。
【００１４】すなわち、図１において、参照符号１０は各種動作モードを選択設定する入力部、１２は前記選択設定される動作モードの内容および各種データの表示をする表示部、１４は前記選択設定される各種動作モードに関するデータおよび受信データを記憶する記憶部、１６は選択設定された動作モードに従って所要信号を発信すると共に他の無線通信端末機器より発信される信号を受信し、同調して所要データの交換を行う送・受信部、１８は選択設定された動作モードに従って送・受信されたデータの照合を行い、最も適合性の高い無線通信端末機器との相互間においてチャネリング信号を発生する演算制御部、２０は前記チャネリング信号に基づいて視聴覚反応動作を行う反応部をそれぞれ示す。
【００１５】次に、前記各部の機能について詳細に説明する。
【００１６】(1)入力部１０
入力部は、各種動作モードを選択設定するものであり、例えば
ＩＤ入力モード（所有者個人の性別、生年月日、血液型、趣味等のＩＤデータを入力するモード）、反応モード（反応部２０における視聴覚動作の種別を選択するモード）、発信モード（所有者のチャネリング相手の選択を行うモードであり、例えば相性や占い、趣味等のデータベースの選択を行う）
【００１７】これらの各種動作モードを選択設定する手段としては、例えば図２に示すように構成したカード形無線通信端末機器３０を使用して操作することができる。すなわち、図２に示すカード形無線通信端末機器３０は、無線送受信機能を備えたＩＣカードからなり、内部に送・受信装置３２を内蔵すると共に、外装のパネル表面には、表示放電管ないしは液晶表示器等からなる表示器３４を備えると共に、決定・キャンセル押釦スイッチ３６と、５個のメッセージ押釦スイッチ３８ａ、３８ｂ、３８ｃ、３８ｄ、３８ｅとがそれぞれ設けられており、前記各メッセージ押釦スイッチ３８ａ〜３８ｅの組合わせ操作と決定・キャンセル押釦スイッチ３６の操作とにより、それぞれ所望の動作モードを選択設定することが可能である。この場合、表示器３４によって、各動作モードの内容を確認しながら簡便に操作を行うことができる。
【００１８】(2)
表示部１２
前記動作モードの設定に際して、各種動作モードの内容を表示すると共に、他のカード形無線通信端末機器との交信に際して、
送・受信されるデータの内容を表示させ
【００１９】(3)記憶部１４　
ＥＥＰＲＯＭからなり
ＩＤ入力モード、反応モード、発信モード、その他各種の情報に関するデータを記憶すると共に、他のカード形無線通信端末機器からの受信データ
を記憶する
【００２０】(4)
送・受信部１６
選択設定された発信モードに従って、他のカード形無線通信端末機器に対して所定の探査電波を発信すると共に
所要の領域内において作動状態にある他の複数のカード形無線通信端末機器３０Ｂ〜３０Ｅに対して、それぞれ送・受信装置３２を介して順次アクセスし、これらカード形無線通信端末機器３０Ｂ〜３０Ｅより所定のデータを受信収集する。この場合に、受信データは、表示部１２に表示し得る
【００２１】(5)
演算制御部１８
記憶部１４に記憶された演算制御プログラムに従って、
選択設定された発信モードにより送・受信部を介して受信された他のカード形無線通信端末機器からのデータを記憶部１４に記憶させ、次いでこれらデータの照合と適合性の判定を行う
…
【００２５】以上、本発明の好適な実施例について説明したが、本発明は前記実施例に限定されることなく、本発明の精神を逸脱しない範囲内において多くの設計変更をすることができる。」
　
　上記記載事項（１）及び（２）から、刊行物１には次の発明が記載されていると認められる。（以下、「引用発明１」という。）
「携帯用個人呼出無線通信システムに使用されるカード形無線通信端末機器３０であって、
　ＩＤ入力モード（所有者個人の性別、生年月日、血液型、趣味等のＩＤデータを入力するモード）、反応モード、発信モード（所有者のチャネリング相手の選択を行うモードであり、例えば相性や占い、趣味等のデータベースの選択を行う）、その他各種の情報に関するデータを記憶すると共に、他のカード形無線通信端末機器からの受信データを記憶する記憶部１４と、
　通信可能な領域は比較的狭い範囲にあり、
　選択設定された発信モードに従って、他のカード形無線通信端末機器に対して所定の探査電波を発信すると共に、所要の領域内において作動状態にある他の複数のカード形無線通信端末機器３０Ｂ〜３０Ｅに対して、それぞれ送・受信装置３２を介して順次アクセスし、これらカード形無線通信端末機器３０Ｂ〜３０Ｅより発信モードに基づく所定のデータを受信収集し、受信データは表示部１２に表示し得る、送・受信部１６と、
　送・受信されるデータの内容を表示させる表示部１２と、
　選択設定された発信モードにより送・受信部を介して受信された他のカード形無線通信端末機器からのデータを記憶部１４に記憶させ、次いでこれらデータの照合と適合性の判定を行う演算制御部１８と、
　を備え、
　カード形無線通信端末機器の所有者の個人データを入力することにより、相性、占い、趣味に関するデータをベースとして、それぞれカード形無線通信端末機器の相互間における適合性を照合し判定して、適合性の最も高い端末機器同士のチャネリングを行うことができ、
　端末機器間の無線通信による情報交換を行って、端末機器の所持者間の出会いおよび交流をも可能として、広く娯楽的手段として活用することが可能である、
　携帯用個人呼出無線通信システムに使用されるカード形無線通信端末機器３０。」
２　刊行物２　
　本願の優先日前の１９９７年８月１日に頒布された「Ｏｈ！ＰＣ，ソフトバンク株式会社，第１６巻，第５号，第１８０−１８２頁」（以下「刊行物２」という。）には、以下の事項が記載されている。（なお、丸数字は、「○１」と表記する。）
「
ペットを飼う楽しみとメールをやりとりする楽しみを一度に味わえてしまう，愉快なソフト
パソコン上で飼うペットがメールを運んでくれるというもの
　ユーザーのペット同士が仲良くなったりケンカしたり，がらくたを拾ってきたり。ペットがある程度成長すると，ユーザーがよくメールを出す相手に勝手にメールを出したりまでするという。
　
ペット同士が仲良くなることで，飼い主であるユーザー同士も仲良くなれるのではないか，そんな期待も抱けてしまう
…」（第１８１頁下段「ＣＯＬＵＭＮ２」）
　上記記載事項から、刊行物２には次の発明が記載されていると認められる。（以下、「引用発明２」という。）
「ペットを飼う楽しみとメールをやりとりする楽しみを一度に味わえてしまう，愉快なソフトであって、パソコン上で飼うペットがメールを運んでくれるというもので、ペット同士が仲良くなることで，飼い主であるユーザー同士も仲良くなれるのではないか，そんな期待も抱けてしまう、ソフト。」
３　刊行物３　
　本願の優先日前の平成６年３月１１日に頒布された特開平６−６８０６３号公報（以下「刊行物３」という。）には、以下の事項が記載されている。　
（１）「【０００１】
【産業上の利用分野】本発明は計算機上に構築した仮想生物システムに関し、特に、本発明はコンピュータを人間にとってより身近なものとするために
仮想的に計算機の中に作りだした仮想生物システム
…
【０００４】
【発明が解決しようとする課題】本発明は上記した従来技術の欠点に鑑みなされたものであって、知的なエージェントを設定する。このエージェントは外部（自分自身の）情報を取り込みそれに対して、自律的に判断しあたかも生物のごとく振る舞う。これを仮想生物と呼ぶ。その
仮想的生物を
飼い育てる
仮想生物システム
（２）「【００１０】本発明の請求項１の発明においては、上記仮想生物システムを構築するため、仮想生物の知識情報を格納する知識データ・ベース４と、仮想生物の内部状態量を格納する内部状態量保存部５と、仮想生物の意思、行動をシミュレーションするシミュレーション・システム１とを計算機上に設ける。知識データ・ベース４には、生物が周囲の環境の中で、自立して動くための知識が格納されており、
仮想生物は
シミュレーション・システム１で自分の行動をシミュレートして、その結果を描画システム、音声生成システム等に送り外部に出力する
…
【００１６】
【実施例】図２は本発明の実施例における機器構成を示す図であり、同図（ａ）は各計算機をネットワークで接続した図、同図（ｂ）は各計算機をモデムを介してセンターに接続した図を示している。同図において、３１ないし３４は計算機、３１ａないし３４ａ、３５はモデム、３６はセンターの計算機であり、本発明の実施例の仮想生物システムは、独立した計算機上に設けられたり、あるいは、図３の各計算機３１ないし３４上に設けることができる。
【００１７】図３は本発明における仮想生物システムの１実施例を示す図である。同図において、１０は入力機器であり、計算機にデータ等を入力する場合に通常使用される、キーボード、マウス、タッチ・パネル、ジョイスティク、データ・グローブ等の入力機器、あるいは、ＦＤ装置等から構成される。１１はシミュレーション・システムであり、１１ａは外部環境や計算機内部に記憶されている仮想生物の内部状況（例えば、「お腹が減った」、「眠い等」）等を認識する認識部、１１ｂは認識部１１ａより与えられた外部環境等に基づき状況判断をする判断部、１１ｃは判断部１１ｂより与えられる状況判断の結果と、計算機内部に記憶されている仮想生物の本能、知識等に基づき仮想生物の意思、行動を決定する決定部１１ｃである。
【００１８】
１２は描画システム
仮想生物の意思、行動等を表示装置上に表示する
１３は音声生成システム
仮想生物の意思、行動等に基づき、音声を生成する
【００１９】１５は状態量保存部であり、１５ａは生物の感情、空腹度、好奇心等の仮想生物の内部的なパラメータ（他の生物から分からないもの）からなる内部状態量、１５ｂは生物の位置や、向き、色等の生物の外部パラメータ（他の生物から分かるもの）からなる外部状態量、１５ｃは生物を取り巻く物理的な環境（生物以外のオブジェクト、温度、重力等）からなる環境情報である。「他生物情報」や「環境情報」は共有メモリや、プロセス間通信、パソコン通信等により取り込まれる。
【００２０】１６ａ，１６ｂ，１６ｃは他の計算機上あるいは他のプロセス上に構築された仮想生物システムであり、相互に対話、協調、共同作業を行うことが可能である。次に、図２，３により上記実施例の動作を説明する。先ず計算機上に仮想生物システムを配付する。各計算機に仮想生物システムを配付したり、各計算機から仮想生物システムを収集する場合には、次の方法を用いることができる。
○１　フロッピーやＣＤ−ＲＯＭ等の持ち運び可能な記録媒体を用いて配付、収集を行う。
○２　図２（ａ）に示すように、ネットワーク（ｅｔｈｅｒ−ｎｅｔ等）を介して配付、収集を行う。
○３　図２（ｂ）に示すように、センターを介してパソコン通信により、配付、収集を行なう。
…
【００２７】これらの付属物は、仮想生物に関する情報として各計算機に配付したり、あるいは、ユーザが独自に作成、入力して、共通ルール、独自ルールとして知識データ・ベース１４に格納したり、あるいは、環境情報、外部状態として状態量保存部１５に格納することができる。図４は計算機上の仮想生物が対話をするためのシステム構成を示した図である。
【００２８】同図（ａ）において、４１ないし４４は計算機であり、同図は
ネットワークにより接続された各々の計算機４１ないし４４
プロセス間通信を用いて他の計算機上の生物とデータのやり取りをすることにより、対話
をおこなう
…
【００３１】同図（ｄ）において、４１ないし４４は計算機、４１ａないし４４ａ，４５はモデム、４６はセンターの計算機であり、同図はモデムを介して
センター４６接続された各々の計算機４１ないし４４
パソコン通信を介して他の計算機上の生物とデータのやり取りをすることにより、対話
をおこなう
…
【００３３】
【発明の効果】以上説明したことから明らかなように、本発明においては、自立した仮想生物を計算機上で飼うことができ、また、
他の計算機上で飼われていた他の仮想生物との対話
を行う
　上記記載事項（１）及び（２）から、刊行物３には次の発明が記載されていると認められる。（以下　「引用発明３」という。）
「仮想的に計算機の中に作りだした仮想的生物（仮想生物）を飼い育てる仮想生物システムであって、
　仮想生物の意思、行動等を表示装置上に表示する描画システム１２と、
　仮想生物の意思、行動等に基づき、音声を生成する音声生成システム１３と、
　を備え、
　仮想生物はシミュレーション・システム１で自分の行動をシミュレートして、その結果を描画システム、音声生成システム等に送り外部に出力し、
　プロセス間通信を用いて、ネットワークにより接続された他の計算機上の生物とデータのやり取りをすることにより、あるいは、パソコン通信を介してセンター４６に接続された他の計算機上の生物とデータのやり取りをすることにより、他の計算機上で飼われていた他の仮想生物との対話を行う、
　仮想生物システム。」
４　刊行物４　
　本願の優先日前の昭和６３年１２月１日に頒布された特開昭６３−２９４８８４号公報（以下「刊行物４」という。）には、以下の事項が記載されている。　
（１）「２　特許請求の範囲
　１　所望数の会話内容を記憶させたＲＯＭカードと、
　このＲＯＭカード挿入口を有し、送受話器を有する電話器型装置本体より成り、
　装置本体に、送話部より入力された音声を、音声の有無、音声の長さ、周波数、音声強度等を解析分類する音声解析分類部を有し、
　ＲＯＭカード内に、前記音声解析分類部で分類された分類コードに従って、ＲＯＭカードに記憶されている会話のうち対応するものを選択する文セレクター回路を有し、
　送話部より入力された音声を解析分類し、分類された分類コードに対応する会話が受話部より出力されるようにしたことを特徴とする電話器型会話装置。」（１頁左欄４〜下から２行）
５　刊行物５　
　本願の優先日前の昭和６３年４月１１日に頒布された特開昭６３−８０６３２号公報（以下「刊行物５」という。）には、以下の事項が記載されている。　
（１）「５はカード型の通信器２１からカード型の通信器２２への送信電波、６は通信器２２から通信器２１への送信電波である。通信媒体としては、電磁波の他に音波、赤外線なども利用し得る。」（２頁右上欄１１〜１４行）
（２）「ハ　発明の効果
　本発明によれは、パーティー会場や展示会場において、例えば１ｍ以内の極めて近接した範囲で、迅速に情報の交換を成すことができ、また、図書館において、必要な本を迅速に発見し得る等、種々の効果を奏する。」（２頁右下欄下から４行〜３頁左上欄２行）
第４　刊行物１に基づく検討
１　対比
　そこで、本願発明と引用発明１とを対比する。
（１）引用発明１の「所有者」、「生年月日」及び「血液型」は、それぞれ、本願発明の「ユーザー」、「誕生日」及び「血液型」に相当し、引用発明１の「ＩＤ入力モード（所有者個人の性別、生年月日、血液型、趣味等のＩＤデータを入力するモード）、反応モード、発信モード（所有者のチャネリング相手の選択を行うモードであり、例えば相性や占い、趣味等のデータベースの選択を行う）、その他各種の情報に関するデータ」は、「表示部１２に表示し得る」ものであるから、本願発明の「複数の伝達情報（「伝達情報」は、情報の内容としては、（ｂ）ユーザーの名前、誕生日、血液型の「伝達される、思想、感情若しくは意思を含まない、ユーザーに関する事実又はそれを示す情報」を含み、情報の形態又は種類としては、文字、画像、音声又は音響を含む。）」に相当する。そうすると、引用発明１の「ＩＤ入力モード（所有者個人の性別、生年月日、血液型、趣味等のＩＤデータを入力するモード）、反応モード、発信モード（所有者のチャネリング相手の選択を行うモードであり、例えば相性や占い、趣味等のデータベースの選択を行う）、その他各種の情報に関するデータ」は、「一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）」といえる。
（２）引用発明１の「記憶部１４」は、「ＩＤ入力モード（所有者個人の性別、生年月日、血液型、趣味等のＩＤデータを入力するモード）、反応モード、発信モード（所有者のチャネリング相手の選択を行うモードであり、例えば相性や占い、趣味等のデータベースの選択を行う）、その他各種の情報に関するデータを記憶すると共に、他のカード形無線通信端末機器からの受信データを記憶する」ものであるから、本願発明の「一つ若しくは複数の伝達情報を、記憶する若しくは記憶しておく伝達情報記憶手段」に相当する。
（３）本願発明の「画面やスピーカなどの」が選択的記載であることにかんがみれば、引用発明１の「送・受信されるデータの内容を表示させる表示部１２」は、本願発明の「自装置の画面やスピーカなどの出力部」に相当する。また、引用発明１は、「送・受信されるデータの内容を表示させる表示部１２」を備え、「端末機器間の無線通信による情報交換を行って、端末機器の所持者間の出会いおよび交流をも可能」とするものであるから、引用発明１の「ＩＤ入力モード（所有者個人の性別、生年月日、血液型、趣味等のＩＤデータを入力するモード）、反応モード、発信モード（所有者のチャネリング相手の選択を行うモードであり、例えば相性や占い、趣味等のデータベースの選択を行う）、その他各種の情報に関するデータ」と、本願発明の「自装置の画面やスピーカなどの出力部によりユーザーが認識可能な電子生物（以下「自らの電子生物」という。なお、「電子生物」は「電子的人間キャラクタ」を含む。）と他の携帯型電子生物出力装置の出力部により他のユーザーが認識可能な他の電子生物（以下「他の電子生物」という。）との間の「コミュニケーション、すなわち、交流又は交流のための情報伝達」のために使用される一つ若しくは複数の伝達情報」とは、「自装置の画面やスピーカなどの出力部によりユーザーと他の携帯型出力装置の出力部により他のユーザーとの間の「コミュニケーション、すなわち、交流又は交流のための情報伝達」のために使用される一つ若しくは複数の伝達情報」との概念で共通する。
（４）上記（３）より、引用発明１の「送・受信されるデータの内容を表示させる表示部１２」は、本願発明の「自装置の画面やスピーカなどの出力部」に相当するから、引用発明１の「『送・受信されるデータの内容を表示させる表示部１２』を備えた『携帯用個人呼出無線通信システムに使用されるカード形無線通信端末機器３０』」と、本願発明の「ユーザーに携帯され又はユーザーの身体に装着される装置であってその出力部によりユーザーに電子生物を認識させる携帯型電子生物出力装置」とは、「ユーザーに携帯され又はユーザーの身体に装着される装置であってその出力部によりユーザーに認識させる携帯型出力装置」との概念で共通する。
（５）引用発明１の「送・受信部１６」は、「探査電波」の「発信」と「受信」を行い、「通信可能な領域は比較的狭い範囲」にあるので、引用発明１における「送・受信部１６」が、「近距離無線」を用いていることは明らかであるし、「送・受信されるデータ」が「探査電波」に「乗る」若しくは「一体化」していることも、明らかである。
　そして、本願発明の「電波又は赤外線」が選択的記載であることにかんがみれば、引用発明１の「通信可能な領域は比較的狭い範囲にあり、選択設定された発信モードに従って、他のカード形無線通信端末機器に対して所定の探査電波を発信すると共に、所要の領域内において作動状態にある他の複数のカード形無線通信端末機器３０Ｂ〜３０Ｅに対して、それぞれ送・受信装置３２を介して順次アクセスし、これらカード形無線通信端末機器３０Ｂ〜３０Ｅより発信モードに基づく所定のデータを受信収集し、受信データは表示部１２に表示し得る、送・受信部１６」と、本願発明の「「『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する他の電子生物出力装置にインターネットなどの公衆通信網を介することなく直接に届くように、近距離無線のみにより発信する電波等発信手段と、他の電子生物出力装置から近距離無線のみにより発信された前記のような電波又は赤外線を、近距離無線のみにより、インターネットなどの公衆通信網を介することなく直接に受信する電波等受信手段」とは、「「一つ若しくは複数の伝達情報、又はそれを示す若しくはそれから得られた情報」とを乗せた若しくは一体化した電波又は赤外線を、近距離無線がカバーする近傍に実際に存在する他の出力装置にインターネットなどの公衆通信網を介することなく直接に届くように、近距離無線のみにより発信する電波等発信手段と、他の出力装置から近距離無線のみにより発信された前記のような電波又は赤外線を、近距離無線のみにより、インターネットなどの公衆通信網を介することなく直接に受信する電波等受信手段」との概念で共通する。
　したがって、本願発明と引用発明１とは、
「自装置の画面やスピーカなどの出力部によりユーザーと他のユーザーとの間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、一つ若しくは複数の伝達情報を、記憶する若しくは記憶しておく伝達情報記憶手段と、
　一つ若しくは複数の伝達情報、又はそれを示す若しくはそれから得られた情報」とを乗せた若しくは一体化した電波又は赤外線を、近距離無線がカバーする近傍に実際に存在する他の出力装置にインターネットなどの公衆通信網を介することなく直接に届くように、近距離無線のみにより発信する電波等発信手段と、
　他の出力装置から近距離無線のみにより発信された前記のような電波又は赤外線を、近距離無線のみにより、インターネットなどの公衆通信網を介することなく直接に受信する電波等受信手段と、
を備えた、ユーザーに携帯され又はユーザーの身体に装着される装置であってその出力部によりユーザーに認識させる携帯型出力装置。」
である点で一致し、以下の点で相違している。
　
［相違点１−１］
　本願発明では、「その出力部によりユーザーに電子生物を認識させる携帯型電子生物出力装置」であって、「自らの電子生物が伝達の主体となっており他の電子生物が伝達の相手方となっている」一つ若しくは複数の伝達情報であるのに対し、引用発明１では、そのような事項が特定されていない点。
　
［相違点１−２］
　電波等発信手段が、本願発明では、「「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』」」を「「発信時におけるユーザーによる特別な操作」によることなく自動的に」発信するのに対し、引用発明１では、そのような事項が特定されていない点。
　
２　判断
　上記相違点１−１及び１−２について、以下に検討する。
（１）相違点１−１について
　引用発明２の「飼い主であるユーザー」、「パソコン上で飼うペット」は、本願発明の「ユーザー」、「電子生物」に相当する。
　引用発明２の「ペット」は、「パソコン上で飼う」ものであるから、「出力部によりユーザーに電子生物を認識させる」といえる。
　また、引用発明２の「メール」は、「パソコン上で飼うペットが運んでくれる」ものなので、「自らの電子生物が伝達の主体となっており他の電子生物が伝達の相手方となっている伝達情報」といえる。
　そうすると、引用発明２には、上記相違点１−１に係る本願発明の発明特定事項が示されている。
　そして、引用発明１と引用発明２とは、共に「所有者（ユーザー）同士の交流に関する無線通信システム」という技術分野に属し、所有者（ユーザー）同士の出会いのチャンスを提供するという共通の課題を有するものであるから、引用発明１に引用発明２を適用することは、当業者が容易に想到し得るものである。
　したがって、引用発明１において、引用発明２を適用することにより、上記相違点１−１に係る本願発明の発明特定事項とすることは、当業者が容易に想到し得るものである。
（２）相違点１−２について
　引用発明１において、端末機器の所持者が出会いおよび交流するに際して、探査電波や発信モードに基づく所定のデータとして具体的にどのような情報を送・受信するか、また、探査電波や発信モードに基づく所定のデータに加えて具体的にどのような情報を送・受信するかは、出会いおよび交流するために、端末機器の所持者が適宜選択し得る事項である。
　また、端末機器の記憶された情報の内容から、交流のための内容を選択することは、例えば、上記「第３　引用刊行物　４　刊行物４」に示したように、本願の優先日時点で、周知の事項である（以下「周知の事項」という。）。
　また、引用発明１における送信をどのように行うかは、引用発明１が目的とする「端末機器の所持者間の出会いおよび交流をも可能」とするために、適宜設計される事項であって、具体的に「「発信時におけるユーザーによる特別な操作」によることなく自動的に、且つ、近距離無線がカバーする近傍に実際に存在する他の電子生物出力装置にインターネットなどの公衆通信網を介することなく直接に届くように、近距離無線のみにより」発信することは、設計的事項である。
　そうすると、引用発明１において、上記周知の事項を踏まえ、相違点１−２に係る本願発明の発明特定事項とすることは、当業者が容易に想到し得るものである。
（３）そして、本願発明によって奏される効果も、引用発明１、引用発明２及び上記周知の事項から当業者が予測し得る範囲内のものといえる。
　したがって、引用発明１に、引用発明２及び上記周知の事項を適用することにより、本願発明の発明特定事項とすることは、当業者が容易に想到できたことといえる。
（５）小括
　したがって、本願発明は、引用発明１、引用発明２及び上記周知の事項に基いて当業者が容易に発明をすることができたものであるから、特許法第２９条第２項の規定により特許を受けることができない。
　
第５　刊行物３に基づく検討
１　対比
　本願発明と引用発明３とを対比する。
（１）引用発明３の「仮想生物」は、「仮想生物の意思、行動等を表示装置上に表示する描画システム１２と、仮想生物の意思、行動等に基づき、音声を生成する音声生成システム１３と、を備え」る「仮想生物システム」で「飼い育て」られるものであるから、引用発明３の「仮想生物」は、「自装置の画面やスピーカなどの出力部によりユーザーが認識可能な電子生物」であるといえ、引用発明３の「仮想生物システム」は、「出力部によりユーザーに電子生物を認識させる電子生物出力装置」といえる。
（２）引用発明３は、「仮想生物は、プロセス間通信を用いて、ネットワークにより接続された他の計算機上の生物とデータのやり取りをすることにより、他の計算機上で飼われていた他の仮想生物との対話を行う」ものであるから、引用発明３の「データ」は、「他の電子生物出力装置の出力部により他のユーザーが認識可能な他の電子生物（以下「他の電子生物」という。）との間の「コミュニケーション、すなわち、交流又は交流のための情報伝達」のために使用される一つ若しくは複数の伝達情報（情報の形態又は種類としては、文字、画像、音声又は音響を含む。）であって、自らの電子生物が伝達の主体となっており他の電子生物が伝達の相手方となっている一つ若しくは複数の伝達情報」といえる。
（３）引用発明３は、「プロセス間通信を用いて、ネットワークにより接続された他の計算機上の生物とデータのやり取りをすることにより、あるいは、パソコン通信を介してセンター４６に接続された他の計算機上の生物とデータのやり取りをする」ものであるから、引用発明３の「データ」は、「伝達情報」といえ、「電波」に「乗」る若しくは「一体化」し、また、引用発明３の「仮想生物システム」は、「電波等発信手段」及び「電波等受信手段」を備えていることは、明らかである。
　そうすると、引用発明３の「プロセス間通信を用いて、ネットワークにより接続された他の計算機上の生物とデータのやり取りをすることにより、あるいは、パソコン通信を介してセンター４６に接続された他の計算機上の生物とデータのやり取りをすることにより、他の計算機上で飼われていた他の仮想生物との対話を行う」ための構成と、本願発明の「「情報」とを乗せた若しくは一体化した電波又は赤外線を、「発信時におけるユーザーによる特別な操作」によることなく自動的に、且つ、近距離無線がカバーする近傍に実際に存在する他の電子生物出力装置にインターネットなどの公衆通信網を介することなく直接に届くように、近距離無線のみにより発信する電波等発信手段と、他の電子生物出力装置から近距離無線のみにより発信された前記のような電波又は赤外線を、近距離無線のみにより、インターネットなどの公衆通信網を介することなく直接に受信する電波等受信手段」とは、「「情報」とを乗せた若しくは一体化した電波を、他の電子生物出力装置に発信する電波等発信手段と、他の電子生物出力装置から発信された電波を、受信する電波等受信手段」との概念で共通する。
　したがって、本願発明と引用発明３とは、
「自装置の画面やスピーカなどの出力部によりユーザーが認識可能な電子生物（以下「自らの電子生物」という。なお、「電子生物」は「電子的人間キャラクタ」を含む。）と他の電子生物出力装置の出力部により他のユーザーが認識可能な他の電子生物（以下「他の電子生物」という。）との間の「コミュニケーション、すなわち、交流又は交流のための情報伝達」のために使用される一つ若しくは複数の伝達情報（情報の形態又は種類としては、文字、画像、音声又は音響を含む。）であって、自らの電子生物が伝達の主体となっており他の電子生物が伝達の相手方となっている一つ若しくは複数の伝達情報と、
　「伝達情報」とを乗せた若しくは一体化した電波又は赤外線を、他の電子生物出力装置に発信する電波等発信手段と、
　他の電子生物出力装置から発信された前記のような電波又は赤外線を、受信する電波等受信手段と、
を備えた、その出力部によりユーザーに電子生物を認識させる電子生物出力装置。」
である点で一致し、以下の点で相違している。
　
［相違点２−１］
　電子生物出力装置が、本願発明では、「ユーザーに携帯され又はユーザーの身体に装着される装置」である「携帯型」電子生物出力装置であるのに対し、引用発明３では、そのような事項が特定されていない点。
　
［相違点２−２］
　本願発明では、「「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み」、「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを発信するのに対し、引用発明３では、そのような事項が特定されていない点。
［相違点２−３］
　本願発明では、伝達情報を、「記憶する若しくは記憶しておく伝達情報記憶手段」を備えているのに対し、引用発明３では、そのような事項が特定されていない点。
　
［相違点２−４］
　本願発明では、「「発信時におけるユーザーによる特別な操作」によることなく自動的に、且つ、近距離無線がカバーする近傍に実際に存在する」他の電子生物出力装置に「インターネットなどの公衆通信網を介することなく直接に届くように、近距離無線のみにより」発信する電波等発信手段と、他の電子生物出力装置から「近距離無線のみにより発信された前記のような電波又は赤外線を、近距離無線のみにより、インターネットなどの公衆通信網を介することなく直接に受信する」電波等受信手段を備えているのに対し、引用発明３では、そのような事項が特定されていない点。
　
２　判断
　上記相違点２−１乃至２−４について、以下に検討する。
（１）相違点２−１について
　携帯型の通信計算機は、いわゆるノートタイプのコンピュータやＰＤＡ等にみられるように、例を挙げるまでもなく、本願の優先日時点で、周知の技術（以下「周知の技術事項１」という。）である。
　そして、引用発明３と上記周知の技術事項１とは、共に「通信計算機」とういう技術分野に属するものであるから、引用発明１に上記周知の技術事項１を適用することは、当業者が容易に想到し得るものである。
　そうすると、引用発明３の計算機を携帯型とすることは、上記周知の技術事項１に照らして、当業者が容易に想到し得たものであるから、相違点２−１に係る本願発明の発明特定事項とすることは、当業者が容易に想到し得るものである。
（２）相違点２−２について
　引用発明３は、「他の計算機上で飼われていた他の仮想生物との対話を行う、仮想生物システム」であるから、「対話（コミュニケーション）」を行うにあたって、具体的にどのような情報を送・受信するかは、システムのユーザーが適宜選択し得る事項である。
　そうすると、引用発明３において、上記相違点２−２に係る本願発明の発明特定事項とすることは、当業者が容易に想到し得るものである。
（３）相違点２−３について
　引用発明３の「仮想生物システム」は、「ネットワークにより接続された他の計算機上の生物とデータのやり取りをする」ものであるから、当該データが「仮想生物システム」上に記憶されていることは明らかな事項である。
　そうすると、相違点２−３に係る本願発明の発明特定事項は、引用発明３に実質的に示されているか、少なくとも引用発明３から、当業者が容易に想到し得るものである。
　
（４）相違点２−４について
　上記「第４　刊行物１に基づく検討　２判断　（２）相違点１−２について」で示したように、端末機器の記憶された情報の内容から、交流のための内容を選択することは、本願の優先日時点で、周知の事項である。
　また、上記「第４　２　（２）」で示したように、引用発明３においても、送信をどのように行うかは、引用発明３が目的とする「他の計算機上で飼われていた他の仮想生物との対話を行うことができるように」するために、適宜設計される事項であって、具体的に「「発信時におけるユーザーによる特別な操作」によることなく自動的」に発信することは、設計的事項である。
　また、例えば刊行物１（段落【００１１】）や上記刊行物５（第２頁右上欄第１１〜１４行、発明の効果欄参照。）に記載され、また、ＩｒＤＡ規格に基づく赤外線通信として行われているように、赤外線又は電波を使用した近距離無線通信は、本願の優先日時点で、周知の技術（以下「周知の技術事項２」という。）である。
　そして、引用発明３と上記周知の技術事項２とは、共に「通信計算機」とういう技術分野に属するものであるから、引用発明１に上記周知の技術事項２を適用することは、当業者が容易に想到し得るものである。
　したがって、引用発明３において、上記周知の事項を踏まえ、上記周知の技術事項２を適用することにより、相違点２−４に係る本願発明の発明特定事項とすることは、当業者が容易に想到し得るものである。
（５）そして、本願発明によって奏される効果も、引用発明３、上記周知の技術事項１、上記周知の技術事項２及び上記周知の事項から当業者が予測し得る範囲内のものといえる。
　したがって、引用発明３に、上記周知の技術事項１、上記周知の技術事項２及び上記周知の事項を適用して、適宜選択、設計することにより、本願発明の発明特定事項とすることは、当業者が容易に想到できたことといえる。
　
（５）小括
　したがって、本願発明は、引用発明３、上記周知の技術事項１、上記周知の技術事項２及び上記周知の事項に基いて当業者が容易に発明をすることができたものであるから、特許法第２９条第２項の規定により特許を受けることができない。
　
第６　むすび
　以上のとおり、本願発明は、引用発明１、引用発明２及び上記周知の事項に基いて当業者が容易に発明をすることができた、あるいは、引用発明３、上記周知の技術事項１、上記周知の技術事項２及び上記周知の事項に基いて当業者が容易に発明をすることができたものであるから、特許法第２９条第２項の規定により特許を受けることができない。
よって、結論のとおり審決する。